【手続補正書】
【提出日】令和1年10月25日(2019.10.25)
【手続補正１】
【補正対象書類名】特許請求の範囲
【補正対象項目名】全文
【補正方法】変更
【補正の内容】
【特許請求の範囲】
【請求項１】
通信方法であって、
各々が複数の時間ドメイン(time-domain)のシンボル期間に広がるサブフレームのセットを定義する時分割複信（ＴＤＤ）フレーム構造に従って、通信媒体上で通信することと、
アップリンクシグナリングのために構成された前記サブフレームの一部分における前記サブフレームのうちの１つまたは複数上の短い物理アップリンク制御チャネル（ｓＰＵＣＣＨ）を介して、制御情報を送信または受信すること、ここにおいて、前記ｓＰＵＣＣＨは、前記１つまたは複数のサブフレームのうちの各々における前記シンボル期間の全てよりも少ないサブセットを集合的(collectively)に占有する１つまたは複数のペイロードシンボルおよび１つまたは複数のパイロットシンボルを備える、と、
前記ｓＰＵＣＣＨは、前記ＴＤＤフレーム構造によって定義されたサブフレームの前記セットの中の特別なサブフレームのアップリンク部分上で送信または受信され、
前記ｓＰＵＣＣＨが送信または受信される前記アップリンク部分は、前記特別なサブフレームのギャップ部分およびダウンリンク部分に先行する前記特別なサブフレームの始まりに位置するか、または前記特別なサブフレームのギャップ部分およびダウンリンク部分に続く前記特別なサブフレームの終わりに位置するかの何れかである、
を備える、方法。
【請求項２】
前記特別なサブフレームは、前記ＴＤＤフレーム構造内のダウンリンク−アップリンク(downlink-to-uplink)遷移境界に位置する、請求項１に記載の方法。
【請求項３】
前記特別なサブフレームは、前記ＴＤＤフレーム構造内のアップリンク−ダウンリンク(uplink-to-downlink)遷移境界に位置する、請求項１に記載の方法。
【請求項４】
前記ｓＰＵＣＣＨペイロードシンボルは、前の送信機会（ＴＸＯＰ）ＡＣＫ／ＮＡＣＫフィールドと現在のＴＸＯＰ  ＡＣＫ／ＮＡＣＫフィールドとに分けられる肯定応答／否定応答（ＡＣＫ／ＮＡＣＫ）インジケータを備える、請求項１に記載の方法。
【請求項５】
前記ｓＰＵＣＣＨが送信または受信される前記ＴＤＤフレーム構造内の特別なサブフレームの位置に基づいて、前記前のＴＸＯＰ  ＡＣＫ／ＮＡＣＫフィールドと前記現在のＴＸＯＰ  ＡＣＫ／ＮＡＣＫフィールドとの間の相対的な長さを設定することをさらに備える、請求項４に記載の方法。
【請求項６】
前記ＴＤＤフレーム構造に関連付けられたＴＤＤ構成に基づいて、前記前のＴＸＯＰ  ＡＣＫ／ＮＡＣＫフィールドと前記現在のＴＸＯＰ  ＡＣＫ／ＮＡＣＫフィールドとの間の相対的な長さを設定することをさらに備える、請求項４に記載の方法。
【請求項７】
通信装置であって、
少なくとも１つのプロセッサと、
前記少なくとも１つのプロセッサに結合された少なくとも１つのメモリ、前記少なくとも１つのプロセッサおよび前記少なくとも１つのメモリは、各々が複数の時間ドメインのシンボル期間に広がるサブフレームのセットを定義する時分割複信（ＴＤＤ）フレーム構造に従って、通信媒体上で通信を制御するように構成されている、と、
アップリンクシグナリングのために構成された前記サブフレームの一部分における前記サブフレームのうちの１つまたは複数上の短い物理アップリンク制御チャネル（ｓＰＵＣＣＨ）を介して、制御情報を送信または受信するように構成された少なくとも１つのトランシーバ、ここにおいて、前記ｓＰＵＣＣＨは、前記１つまたは複数のサブフレームのうちの各々における前記シンボル期間の全てよりも少ないサブセットを集合的に占有する１つまたは複数のペイロードシンボルおよび１つまたは複数のパイロットシンボルを備える、と、
前記少なくとも１つのトランシーバは、前記ＴＤＤフレーム構造によって定義されたサブフレームの前記セットの中の特別なサブフレームのアップリンク部分上で前記ｓＰＵＣＣＨを送信または受信するようにさらに構成され、
前記ｓＰＵＣＣＨが送信または受信される前記アップリンク部分は、前記特別なサブフレームのギャップ部分およびダウンリンク部分に先行する前記特別なサブフレームの始まりに位置するか、または前記特別なサブフレームのギャップ部分およびダウンリンク部分に続く前記特別なサブフレームの終わりに位置するかの何れかである、
を備える、通信装置。
【請求項８】
前記特別なサブフレームは、前記ＴＤＤフレーム構造内のダウンリンク−アップリンク遷移境界に位置する、請求項７に記載の装置。
【請求項９】
前記特別なサブフレームは、前記ＴＤＤフレーム構造内のアップリンク−ダウンリンク遷移境界に位置する、請求項７に記載の装置。
【請求項１０】
前記ｓＰＵＣＣＨペイロードシンボルは、前の送信機会（ＴＸＯＰ）ＡＣＫ／ＮＡＣＫフィールドと現在のＴＸＯＰ  ＡＣＫ／ＮＡＣＫフィールドとに分けられる肯定応答／否定応答（ＡＣＫ／ＮＡＣＫ）インジケータを備える、請求項７に記載の装置。
【請求項１１】
前記少なくとも１つのプロセッサおよび前記少なくとも１つのメモリは、前記ｓＰＵＣＣＨが送信または受信される前記ＴＤＤフレーム構造内の特別なサブフレームの位置に基づいて、前記前のＴＸＯＰ  ＡＣＫ／ＮＡＣＫフィールドと前記現在のＴＸＯＰ  ＡＣＫ／ＮＡＣＫフィールドとの間の相対的な長さを設定するようにさらに構成される、請求項１０に記載の装置。
【請求項１２】
前記少なくとも１つのプロセッサおよび前記少なくとも１つのメモリは、前記ＴＤＤフレーム構造に関連付けられたＴＤＤ構成に基づいて、前記前のＴＸＯＰ  ＡＣＫ／ＮＡＣＫフィールドと前記現在のＴＸＯＰ  ＡＣＫ／ＮＡＣＫフィールドとの間の相対的な長さを設定するようにさらに構成される、請求項１０に記載の装置。
【請求項１３】
コンピュータ上で実行されたとき、請求項１〜請求項６のうちの何れかに記載の方法を実行するためのコンピュータ実行可能命令を備える、コンピュータプログラム。
【手続補正２】
【補正対象書類名】明細書
【補正対象項目名】００７８
【補正方法】変更
【補正の内容】
【００７８】
[0089]前述の開示は様々な例示的な態様を示すが、添付の特許請求の範囲によって定義される範囲から逸脱することなく、ここで様々な変更および修正が例示された例に成されることができることに留意されたい。本開示は、特に例示された例だけに限定されるようには意図されない。例えば、そうでなはいと記載されない限り、ここに説明された本開示の態様に従う方法の請求項の機能、ステップ、および／またはアクションは、任意の特定の順序で行われる必要はない。さらに、ある特定の態様は、単数形で説明または特許請求され得るが、単数形への限定が明記されていない限り、複数形は考慮されている。
以下に本願の出願当初の特許請求の範囲に記載された発明を付記する。
[Ｃ１]  通信方法であって、
各々が複数の時間ドメイン(time-domain)のシンボル期間に広がるサブフレームのセットを定義する時分割複信（ＴＤＤ）フレーム構造に従って、通信媒体上で通信することと、および
アップリンクシグナリングのために構成された前記サブフレームの一部分における前記サブフレームのうちの１つまたは複数上の短い物理アップリンク制御チャネル（ｓＰＵＣＣＨ）を介して、制御情報を送信または受信すること、ここにおいて、前記ｓＰＵＣＣＨは、前記１つまたは複数のサブフレームのうちの各々における前記シンボル期間の全てよりも少ないサブセットを集合的(collectively)に占有する１つまたは複数のペイロードシンボルおよび１つまたは複数のパイロットシンボルを備える、と
を備える、方法。
[Ｃ２]  前記ｓＰＵＣＣＨは、周波数ドメインサブキャリアのセットから形成された複数のインタレースされたリソースブロック（ＲＢｓ）に広がる、Ｃ１に記載の方法。
[Ｃ３]  前記通信媒体上でトラフィック状態をモニタすることと、
前記モニタされたトラフィック状態に基づいて、前記ｓＰＵＣＣＨについて持続時間インジケータを構成することと、および
前記持続時間インジケータを１つまたは複数のアクセス端末にブロードキャストまたはマルチキャストすることと
をさらに備える、Ｃ１に記載の方法。
[Ｃ４]  前記周波数ドメイン、前記時間ドメイン、またはそれらの組合せにおいて前記ｓＰＵＣＣＨ上で複数のアクセス端末を多重化することをさらに備える、Ｃ１に記載の方法。
[Ｃ５]  前記ｓＰＵＣＣＨは、前記ＴＤＤフレーム構造によって定義されたサブフレームの前記セットの中の特別なサブフレームのアップリンク部分上で送信または受信される、Ｃ１に記載の方法。
[Ｃ６]  前記ｓＰＵＣＣＨが送信または受信される前記アップリンク部分は、前記特別なサブフレームのギャップ部分およびダウンリンク部分に続く前記特別なサブフレームの前記終わりに、位置される、Ｃ５に記載の方法。
[Ｃ７]  前記特別なサブフレームは、前記ＴＤＤフレーム構造内のダウンリンク−アップリンク(downlink-to-uplink)遷移境界に位置される、Ｃ６に記載の方法。
[Ｃ８]  前記ｓＰＵＣＣＨが送信または受信される前記アップリンク部分は、前記特別なサブフレームのギャップ部分およびダウンリンク部分に先行する前記特別なサブフレームの前記始まりに位置される、Ｃ５に記載の方法。
[Ｃ９]  前記特別なサブフレームは、前記ＴＤＤフレーム構造内のアップリンク−ダウンリンク(uplink-to-downlink)遷移境界に位置される、Ｃ８に記載の方法。
[Ｃ１０]  前記ｓＰＵＣＣＨペイロードシンボルは、前の送信機会（ＴＸＯＰ）ＡＣＫ／ＮＡＣＫフィールドと現在のＴＸＯＰ  ＡＣＫ／ＮＡＣＫフィールドとに分けられる肯定応答／否定応答（ＡＣＫ／ＮＡＣＫ）インジケータを備える、Ｃ１に記載の方法。
[Ｃ１１]  前記ｓＰＵＣＣＨが送信または受信される前記ＴＤＤフレーム構造内の特別なサブフレームの位置に基づいて、前記前のＴＸＯＰ  ＡＣＫ／ＮＡＣＫフィールドと前記現在のＴＸＯＰ  ＡＣＫ／ＮＡＣＫフィールドとの間の相対的な長さを設定することをさらに備える、Ｃ１０に記載の方法。
[Ｃ１２]  前記ＴＤＤフレーム構造に関連付けられたＴＤＤ構成に基づいて、前記前のＴＸＯＰ  ＡＣＫ／ＮＡＣＫフィールドと前記現在のＴＸＯＰ  ＡＣＫ／ＮＡＣＫフィールドとの間の相対的な長さを設定することをさらに備える、Ｃ１０に記載の方法。
[Ｃ１３]  通信装置であって、
少なくとも１つのプロセッサと、
前記少なくとも１つのプロセッサに結合された少なくとも１つのメモリ、前記少なくとも１つのプロセッサおよび前記少なくとも１つのメモリは、各々が複数の時間ドメインのシンボル期間に広がるサブフレームのセットを定義する時分割複信（ＴＤＤ）フレーム構造に従って、通信媒体上で通信を制御するように構成されている、と、および
アップリンクシグナリングのために構成された前記サブフレームの一部分における前記サブフレームのうちの１つまたは複数上の短い物理アップリンク制御チャネル（ｓＰＵＣＣＨ）を介して、制御情報を送信または受信するように構成された少なくとも１つのトランシーバ、ここにおいて、前記ｓＰＵＣＣＨは、前記１つまたは複数のサブフレームのうちの各々における前記シンボル期間の全てよりも少ないサブセットを集合的に占有する１つまたは複数のペイロードシンボルおよび１つまたは複数のパイロットシンボルを備える、と
を備える、通信装置。
[Ｃ１４]  前記ｓＰＵＣＣＨは、周波数ドメインサブキャリアのセットから形成された複数のインタレースされたリソースブロック（ＲＢｓ）に広がる、Ｃ１３に記載の装置。
[Ｃ１５]  前記少なくとも１つのプロセッサおよび前記少なくとも１つのメモリは、前記通信媒体上でトラフィック状態をモニタするように、および前記モニタされたトラフィック状態に基づいて、前記ｓＰＵＣＣＨについて持続時間インジケータを構成するようにさらに構成される、および
前記少なくとも１つのトランシーバは、１つまたは複数のアクセス端末に前記持続時間インジケータをブロードキャストまたはマルチキャストするようにさらに構成される、  Ｃ１３に記載の装置。
[Ｃ１６]  前記少なくとも１つのプロセッサおよび前記少なくとも１つのメモリは、前記周波数ドメイン、前記時間ドメイン、またはそれらの組合せにおいて前記ｓＰＵＣＣＨ上で複数のアクセス端末を多重化するようにさらに構成する、Ｃ１３に記載の装置。
[Ｃ１７]  前記少なくとも１つのトランシーバは、前記ＴＤＤフレーム構造によって定義されたサブフレームの前記セットの中の特別なサブフレームのアップリンク部分上で前記ｓＰＵＣＣＨを送信または受信するようにさらに構成される、Ｃ１３に記載の装置。
[Ｃ１８]  前記ｓＰＵＣＣＨが送信または受信される前記アップリンク部分は、前記特別なサブフレームのギャップ部分およびダウンリンク部分に続く前記特別なサブフレームの前記終わりに、位置される、Ｃ１７に記載の装置。
[Ｃ１９]  前記特別なサブフレームは、前記ＴＤＤフレーム構造内のダウンリンク−アップリンク遷移境界に位置される、Ｃ１８に記載の装置。
[Ｃ２０]  前記ｓＰＵＣＣＨが送信または受信される前記アップリンク部分は、前記特別なサブフレームのギャップ部分およびダウンリンク部分に先行する前記特別なサブフレームの前記始まりに位置される、Ｃ１７に記載の装置。
[Ｃ２１]  前記特別なサブフレームは、前記ＴＤＤフレーム構造内のアップリンク−ダウンリンク遷移境界に位置される、Ｃ２０に記載の装置。
[Ｃ２２]  前記ｓＰＵＣＣＨペイロードシンボルは、前の送信機会（ＴＸＯＰ）ＡＣＫ／ＮＡＣＫフィールドと現在のＴＸＯＰ  ＡＣＫ／ＮＡＣＫフィールドとに分けられる肯定応答／否定応答（ＡＣＫ／ＮＡＣＫ）インジケータを備える、Ｃ１３に記載の装置。
[Ｃ２３]  前記少なくとも１つのプロセッサおよび前記少なくとも１つのメモリは、前記ｓＰＵＣＣＨが送信または受信される前記ＴＤＤフレーム構造内の特別なサブフレームの位置に基づいて、前記前のＴＸＯＰ  ＡＣＫ／ＮＡＣＫフィールドと前記現在のＴＸＯＰ  ＡＣＫ／ＮＡＣＫフィールドとの間の相対的な長さを設定するようにさらに構成される、Ｃ２２に記載の装置。
[Ｃ２４]  前記少なくとも１つのプロセッサおよび前記少なくとも１つのメモリは、前記ＴＤＤフレーム構造に関連付けられたＴＤＤ構成に基づいて、前記前のＴＸＯＰ  ＡＣＫ／ＮＡＣＫフィールドと前記現在のＴＸＯＰ  ＡＣＫ／ＮＡＣＫフィールドとの間の相対的な長さを設定するようにさらに構成される、Ｃ２２に記載の装置。
[Ｃ２５]  通信装置であって、
各々が複数の時間ドメインのシンボル期間に広がるサブフレームのセットを定義する時分割複信（ＴＤＤ）フレーム構造に従って、通信媒体上で通信するための手段と、および  アップリンクシグナリングのために構成された前記サブフレームの一部分における前記サブフレームのうちの１つまたは複数上の短い物理アップリンク制御チャネル（ｓＰＵＣＣＨ）を介して、制御情報を送信または受信するための手段と、ここにおいて、前記ｓＰＵＣＣＨは、前記１つまたは複数のサブフレームのうちの前記シンボル期間の各々における全てよりも少ないサブセットを集合的に占有する１つまたは複数のペイロードシンボルおよび１つまたは複数のパイロットシンボルを備える、と
を備える、通信装置。
[Ｃ２６]  前記ｓＰＵＣＣＨは、周波数ドメインサブキャリアのセットから形成された複数のインタレースされたリソースブロック（ＲＢｓ）に広がる、Ｃ２５に記載の装置。
[Ｃ２７]  前記ｓＰＵＣＣＨは、前記ＴＤＤフレーム構造によって定義されたサブフレームの前記セットの中の特別なサブフレームのアップリンク部分上で送信または受信される、Ｃ２５に記載の装置。
[Ｃ２８]  少なくとも１つのプロセッサによって実行されると、それは、前記少なくとも１つのプロセッサに、通信のための動作を行わせるコードを備える非一時的なコンピュータ読取り可能媒体であって、
各々が複数の時間ドメインのシンボル期間に広がるサブフレームのセットを定義する時分割複信（ＴＤＤ）フレーム構造に従って、通信媒体上で通信するためのコードと、および
アップリンクシグナリングのために構成された前記サブフレームの一部分における前記サブフレムのうちの１つまたは複数上の短い物理アップリンク制御チャネル（ｓＰＵＣＣＨ）を介して、制御情報を送信または受信するためのコード、ここにおいて、前記ｓＰＵＣＣＨは、前記１つまたは複数のサブフレームのうちの各々における前記シンボル期間の全てよりも少ないサブセットを集合的に占有する１つまたは複数のペイロードシンボルおよび１つまたは複数のパイロットシンボルを備える、と
を備える、非一時的なコンピュータ読取り可能媒体。
[Ｃ２９]  前記ｓＰＵＣＣＨは、周波数ドメインサブキャリアのセットから形成された複数のインタレースされたリソースブロック（ＲＢｓ）に広がる、Ｃ２８に記載の非一時的なコンピュータ読取り可能媒体。
[Ｃ３０]  前記ｓＰＵＣＣＨは、前記ＴＤＤフレーム構造によって定義されたサブフレームの前記セットの中の特別なサブフレームのアップリンク部分上で送信または受信される、Ｃ２８に記載の非一時的なコンピュータ読取り可能媒体。